(57)【要約】【課題】複数の回路等に入力する映像信号の振幅を自動で調整することが可能で、各回路部に応じた基準信号を設定する必要がなく、映像信号の振幅を高い精度で調整可能な映像信号振幅調整装置を得る。【解決手段】予め設定された基準パルスを出力する基準パルス出力手段と、該基準パルス出力手段から出力された前記基準パルスを入力映像信号に付加して基準パルス付加映像信号を出力する基準パルス付加手段と、連結された各々が、前記基準パルス付加手段から出力された前記基準パルス付加映像信号の振幅を調整するゲインを出力する複数のゲイン出力手段と、該ゲイン出力手段と各一対に設けられ、対応する前記ゲイン出力手段から出力される前記ゲインに基づいて前記基準パルス付加映像信号の振幅を調整して振幅調整映像信号を出力する振幅調整手段とを備える。【選択図】        図１
2004289665.tif 000002
【特許請求の範囲】
【請求項１】
予め設定された基準パルスを出力する基準パルス出力手段と、
該基準パルス出力手段から出力される前記基準パルスを入力映像信号に付加して基準パルス付加映像信号を出力する基準パルス付加手段と、
連結された各々が、前記基準パルス付加手段から出力された前記基準パルス付加映像信号の振幅を調整するゲインを出力する複数のゲイン出力手段と、
該ゲイン出力手段と各一対に設けられ、対応する前記ゲイン出力手段から出力される前記ゲインに基づいて前記基準パルス付加映像信号の振幅を調整して振幅調整映像信号を出力する振幅調整手段とを備え、
前記複数のゲイン出力手段のうちのいずれかのゲイン出力手段に対応する前記振幅調整手段の前段の振幅調整手段から出力される前記振幅調整映像信号と、前記基準パルス付加手段から出力される基準パルスとに基づいて、前記複数のゲイン出力手段における各ゲイン出力手段のゲインを決定する
ことを特徴とする映像信号振幅調整装置。
【請求項２】
基準パルス付加手段は、入力映像信号における垂直ブランキング期間に基準パルスを付加する
ことを特徴とする請求項１記載の映像信号振幅調整装置。
【請求項３】
入力映像信号における映像種別信号を検出する映像種別信号検出手段と、
連結された各々が、前記入力映像信号の振幅を調整するゲインを出力する複数のゲイン出力手段と、
該ゲイン出力手段と各一対に設けられ、対応する前記ゲイン出力手段から出力された前記ゲインに基づいて前記基準パルス付加映像信号の振幅を調整して振幅調整映像信号を出力する振幅調整手段とを備え、
前記複数のゲイン出力手段のうちのいずれかのゲイン出力手段に対応する前記振幅調整手段の前段の振幅調整手段から出力された前記振幅調整映像信号と、前記映像種別信号とに基づいて、前記複数のゲイン出力手段における各ゲイン出力手段のゲインを決定する
ことを特徴とする映像信号振幅調整装置。
【請求項４】
各ゲイン出力手段は、入力映像信号の垂直ブランキング期間における映像種別信号と振幅調整映像信号とに基づいてゲインを決定する
ことを特徴とする請求項３記載の映像信号振幅調整装置。
【請求項５】
各ゲイン出力手段は、映像種別信号の波高値と振幅調整映像信号とに基づいてゲインを決定する
ことを特徴とする請求項３または４記載の映像信号振幅調整装置。
【請求項６】
予め設定された基準パルスを出力する基準パルス出力工程と、
該基準パルス出力工程において出力された前記基準パルスを入力映像信号に付加して得られる基準パルス付加映像信号を出力する基準パルス付加工程と、
各々が、前記基準パルス付加工程において出力された前記基準パルス付加映像信号の振幅を調整するゲインを時系列的に出力する複数のゲイン出力工程と、
前記基準パルス付加映像信号の振幅を調整して、前記複数のゲイン出力工程のうちのいずれかのゲイン出力工程において出力された前記ゲインに対応する振幅調整映像信号を出力する振幅調整工程とを含み、
前記複数のゲイン出力工程のうちのいずれかのゲイン出力工程に対応する前記振幅調整工程の前段の振幅調整工程において出力された前記振幅調整映像信号と、前記基準パルスとに基づいて、前記複数のゲイン出力工程における各ゲイン出力工程のゲインを決定する
ことを特徴とする映像信号振幅調整方法。
【発明の詳細な説明】
【０００１】
【発明の属する技術分野】
本発明は、入力された映像信号の振幅を自動調整するための装置、および方法に関する。
【０００２】
【従来の技術】
従来の映像信号振幅調整装置においては、デジタル信号の黒レベル基準信号と白レベル基準信号とを前記デジタル映像信号のブランキング期間に挿入する基準信号挿入手段と、Ｄ／Ａ変換手段と、基準信号抜き取り手段と、第１の出力である黒レベル基準信号を保持する第１の信号保持手段と、第２の出力である白レベル基準信号を保持する第２の信号保持手段と、前記第１の信号保持手段と前記第２の信号保持手段の出力の差分を検出する差分検出手段と、前記黒レベル基準信号と前記白レベル基準信号とを制御する制御手段と、比較信号を発生する比較信号発生手段と、前記差分検出手段の出力と前記比較信号発生手段の出力の比較を行う比較手段とを備えることにより、入力映像信号の振幅を調整している（例えば、特許文献１参照。）。
【０００３】
また、色信号と直流再生回路から出た輝度信号をコンパレータで白レベル基準電圧源の白レベル基準電圧と比較し、当該コンパレータの出力が所定期間以上の確定値を持つ場合に誤動作防止回路から過大振幅検出信号を出力させて当該過大検出信号を電圧調整回路に通すことにより、振幅調整回路と色信号振幅調整回路のゲインを制御する映像信号振幅調整装置もある（例えば、特許文献２参照。）。
【０００４】
【特許文献１】
特開平８−２６５６６７号公報（第２−３頁、第１図）
【特許文献２】
特開平６−１７８１５２号公報（第１、第１図）
【０００５】
【発明が解決しようとする課題】
従来の映像信号振幅調整装置においては、映像信号を入力する素子または回路に応じて前記映像信号の振幅を調整しているため、当該振幅を調整された映像信号（以下、振幅を調整された映像信号を振幅調整映像信号ともいう。）が、もとの信号に対してどの程度増幅等されているかを当該振幅調整信号から判断することは困難である。
通常、各回路等において必要とされる映像信号の振幅の大きさは、入力映像信号を基準に設定される。よって、上述のように振幅調整映像信号がもとの入力映像信号に対してどの程度増幅等されているかが不明であると、上記回路等が複数個ある場合には、１つの回路に対応する振幅調整映像信号を他の回路に対応する振幅調整映像信号の生成に利用することができない。
そのため、振幅調整映像信号を入力する各回路等に対して前記映像信号振幅調整装置を設ける必要があり、また、それぞれの前記映像信号振幅調整装置に対して基準となる信号（以下、基準となる信号を基準信号という。）を設定する必要があった。
そこで、従来は、ある程度の振幅誤差を許容したうえで前記映像信号振幅調整装置によって振幅を調整する個所を適当に減らす等により対応していた。
【０００６】
この発明は、上述のような課題を解消するためになされたものであり、複数の回路等に入力する映像信号の振幅を自動で調整することが可能で、各回路部に応じた基準信号を設定する必要がなく、映像信号の振幅を高い精度で調整可能な映像信号振幅調整装置を得るものである。
【０００７】
【課題を解決するための手段】
この発明に係る映像信号振幅調整装置は、予め設定された基準パルスを出力する基準パルス出力手段と、該基準パルス出力手段から出力された前記基準パルスを入力映像信号に付加して基準パルス付加映像信号を出力する基準パルス付加手段と、連結された各々が、前記基準パルス付加手段から出力された前記基準パルス付加映像信号の振幅を調整するゲインを出力する複数のゲイン出力手段と、該ゲイン出力手段と各一対に設けられ、対応する前記ゲイン出力手段から出力される前記ゲインに基づいて前記基準パルス付加映像信号の振幅を調整して振幅調整映像信号を出力する振幅調整手段とを備えるものである。
【０００８】
【発明の実施の形態】
実施の形態１．
図１は本実施の形態１における映像信号振幅調整装置を示すブロック図である。なお、図１においては、第２番目から第（ｎ−２）番目までの、振幅調整手段、回路部、およびゲイン出力手段を省略して示している。
【０００９】
図１において、入力映像信号は入力端子１に入力される。ここで、前記入力映像信号は輝度信号、色濃度に対応する信号、色差信号等のうち、少なくともいずれか１つを含む映像信号である。
【００１０】
通常、当該入力端子１に外部機器から入力される前記入力映像信号は、たとえば輝度信号が１Ｖｐ−ｐと定められており、後に説明する基準パルスＶｒｅｆを設定する際の基準となる信号レベルである。また、前記１Ｖｐ−ｐのように定められた信号ではない信号（以下、定められた信号ではない信号を不定信号という。）、例えば、変調された信号をデコードして得られた信号が前記入力端子１に入力された場合には、当該入力端子１において前記不定信号をある一定レベルの信号に調整し、基準パルスＶｒｅｆを設定する際の基準となる信号レベルを設定する。すなわち、当該入力端子１は、入力映像信号の振幅の値は既知とし、基準パルスＶｒｅｆを設定する際の基準となる信号レベルを決定する。
なお、前記一定レベルは前記映像信号振幅調整装置を使用する態様に応じて任意に設定する。
【００１１】
前記入力映像信号は入力端子１から基準パルス付加手段２に出力される。そして、当該基準パルス付加手段２は、基準パルス発生手段１０から入力された基準パルスＶｒｅｆを前記入力映像信号の垂直ブランキング期間に付加し（以下、基準パルスを付加された入力映像信号を基準パルス付加映像信号という。）、第１の振幅調整手段３に当該基準パルス付加映像信号を出力する。また、前記基準パルスＶｒｅｆは各ゲイン出力手段にも入力される。
【００１２】
図２は垂直ブランキング期間における信号の一例であり、当該図２においては１０ライン目に前記基準パルスＶｒｅｆが付加されている。
【００１３】
ここで、前記基準パルスＶｒｅｆの値は、例えば電源電圧の波高値に設定することができる。また、前記基準パルスＶｒｅｆの値を大きい値に設定することで、前記各ゲイン出力手段（第１のゲイン出力手段１１、第（ｎ−１）のゲイン出力手段１２、第ｎのゲイン出力手段１３等）において当該基準パルスＶｒｅｆの波高値を検出する際の誤差を小さくすることが可能である。しかし、当該基準パルスＶｒｅｆの値を後段の回路部における供給電圧よりも大きくすると当該映像信号振幅調整装置の正確な動作を妨げる場合がある。したがって、前記基準パルスＶｒｅｆは前記後段の回路における供給電圧を超えない範囲で可能な限り大きな値とするのがよい。
【００１４】
前記基準パルス付加映像信号を入力された第１の振幅調整手段３は、第１のゲイン出力手段１１から入力されたゲインＡ１に基づいて、前記基準パルス付加映像信号の振幅を後段の第１の回路部４で必要な振幅となるように調整する。
なお、前記第１の振幅調整手段より後の振幅調整手段においても、上記と同様に、各振幅調整手段に対応するゲイン出力手段から出力されるゲインに基づいて前記基準パルス付加信号の振幅が調整される。
【００１５】
そして、振幅を調整された上記基準パルス付加信号（以下、振幅を調整された上記基準パルス付加信号を振幅調整映像信号という。）は出力端子９に入力され、当該出力端子９は前記振幅調整映像信号を外部機器に出力する。
【００１６】
以下、前記ゲイン出力手段におけるゲインの設定方法について説明する。
【００１７】
まず、第１の振幅調整手段３に対応する第１のゲイン出力手段１１においては、入力される基準パルス付加映像信号の振幅が既知であるため、当該基準パルス付加映像信号の振幅の値Ｅ０と、後段の第１の回路部４において必要とされる、振幅調整映像信号の振幅の値Ｅ１とによりゲインＡ１の値が以下の式により設定される。
Ａ１＝Ｅ１／Ｅ０
【００１８】
次に、第ｎの振幅調整手段７に対応する第ｎのゲイン出力手段１３においては、以下の手順によりゲインＡｎが設定される。
【００１９】
前記第ｎの振幅調整手段７に対応する第ｎのゲイン出力手段１３は、第（ｎ−１）の回路部６から出力された振幅調整映像信号から、当該第（ｎ−１）の回路部６の前段までにおいて振幅を調整された振幅調整映像信号における基準パルスＶｎ−１（以下、振幅を調整された振幅調整映像信号における基準パルスを振幅調整基準パルスという。）を抽出する。
【００２０】
そして、当該第ｎのゲイン出力手段１３は、抽出した前記振幅調整基準パルスＶｎ−１、前記基準パルス発生手段１０から入力された基準パルスＶｒｅｆ、前記基準パルス付加信号の振幅の値Ｅ０、および第ｎの回路部７において必要な振幅調整映像信号の振幅の値Ｅｎから、以下の式によりゲインＡｎを設定する。
Ａｎ＝（Ｖｒｅｆ／Ｖｎ−１）×（Ｅｎ／Ｅ０）        （２）
【００２１】
以下、上記式（２）について説明する。
前記第ｎの回路部８において必要な第ｎのゲインＡｎは、下記式（３）により演算できる。
Ａｎ＝Ｅｎ／Ｅｎ−１      （３）
【００２２】
また、前記式（３）における振幅調整映像信号Ｅｎ−１は、前記基準パルスＶｒｅｆ、前記振幅調整基準パルスＶｎ−１、および前記基準パルス付加映像信号の振幅の値Ｅ０により下記式（４）によって表される。
Ｅｎ−１＝（Ｖｎ−１／Ｖｒｅｆ）×Ｅ０      （４）
【００２３】
上記式（３）、および上記式（４）により前記第ｎの回路部８において必要な振幅Ｅｎは以下のように表すことができる。
2004289665.tif 000003
したがって、上記式（５）から第ｎのゲインＡｎは上記式（２）のように表すことができる。
なお、図３に前記基準パルスＶｒｅｆ、振幅調整基準パルス、および振幅調整映像信号の関係を示す。
【００２４】
なお、上記第１のゲイン出力手段１１と上記第ｎのゲイン出力手段１３との間における第２番目から第（ｎ−１）番目までのゲイン出力手段においては、上述した上記第ｎのゲイン出力手段と同様の手順により、前記基準パルスＶｒｅｆ、ゲイン出力手段に入力される振幅調整映像信号の振幅の値、および後段の回路部において必要な振幅調整映像信号の振幅の値に基づいて、ゲイン（Ａ２、…、Ａｎ−２）が設定される。
【００２５】
以上のように本実施の形態１における映像信号振幅調整装置によれば、入力映像信号に基準パルスを付加することで、入力映像信号に対して振幅調整信号がどの程度増幅等されているかを判断することができるので、各回路毎に基準信号を設定しなくても、各回路から出力される振幅調整映像信号に関係なく、ゲインを設定することが可能になる。したがって、各回路毎に当該映像信号振幅調整装置を設けても、各回路において必要な映像信号の振幅を容易に、かつ高精度で調整することが可能となる。
【００２６】
実施の形態２．
通常、入力映像信号には当該入力映像信号の種別を示す信号（以下、入力映像信号の種別を示す信号を映像種別信号という。）が付加されている。
ここで、上記映像種別信号には、例えば、ＧＣＲ信号、ＥＩＡＪ（日本電子規格工業会）ＣＰＸ１２０４において指定される信号（以下、ＩＤ−１信号という。）、ワイドクリアビジョンの判別信号（以下、ＥＤＴＶＩＩ  Ｒｅｆ信号という。）がある。
図４に垂直ブランキング期間における上記映像種別信号の付加位置を示し、図５に上記映像種別信号の波形を示す。
【００２７】
図５に示す各種映像種別信号は、映像信号において映像の表示に使用される信号の振幅を１００ＩＲＥとしたときの規格であり、映像信号の振幅と、この基準信号波高値との比率は一定の関係にある。ここで、前記ＩＲＥとは、ＥＩＡＪで規定されている信号のレベル単位である。
【００２８】
上記実施の形態１の映像信号振幅調整装置においては、基準パルスを設定して入力映像信号に付加したが、前記映像種別信号と映像信号との比率を利用することによって前記基準パルスを設定する必要がなくなるため、装置を簡素化することができる。
【００２９】
図６は本実施の形態２における映像信号振幅調整装置を示すブロック図である。図６に示すように本実施の形態２の映像信号振幅調整装置においては、上記実施の形態１の基準パルス発生手段１０に代えて映像種別信号検出手段２０を設ける。また、上記実施の形態１のように映像信号に基準パルスを負荷する必要がないので、基準パルス付加手段２を設けない。なお、本実施の形態２の映像信号振幅調整装置においては、上記映像種別信号検出手段２０を設ける点、および上記基準パルス付加手段２を設けない点以外については上記実施の形態１と同様であるので、他の構成、およびその動作については説明を省略する。また、本実施の形態２においても上記実施の形態１と同様に第２番目から第（ｎ−２）番目までの、振幅調整手段、回路部、およびゲイン出力手段を省略して示している。
【００３０】
図６において、映像種別信号検出手段２０は入力映像信号から上記映像種別信号を抽出し、各ゲイン出力手段に出力する。
【００３１】
そして、第２のゲイン出力手段以降のゲイン出力手段においては当該映像種別信号と、当該ゲイン出力手段の前段の回路部から出力された振幅調整映像信号における映像種別信号（以下、振幅を調整された振幅調整映像信号における映像種別信号を振幅調整映像種別信号という。）とに基づいて、上記実施の形態１と同様にゲインを出力する。
なお、本実施の形態２においては、上記映像種別信号を上記実施の形態１における基準パルスと、上記振幅調整映像種別信号を上記実施の形態１における振幅調整基準パルスと置き換えてゲインの演算を行う必要があることはいうまでもない。
【００３２】
以上のように本実施の形態２における映像信号振幅調整装置によれば、入力映像信号に既存の映像種別信号を利用することで、上記実施の形態１のように基準パルスを予め設定して入力映像信号に上記基準パルスを付加する必要がない。したがって、装置の簡素化が可能となるとともに上記実施の形態１と同様の効果を得ることができる。
【００３３】
【発明の効果】
この発明は以上説明したように、入力映像信号に基準パルスを付加することで、各回路毎に基準信号を設定しなくても、各回路から出力される振幅調整映像信号に関係なく、ゲインを設定することが可能になる。したがって、各回路毎に当該映像信号振幅調整装置を設けても、各回路において必要な映像信号の振幅を容易に、かつ高精度で調整することが可能となる。
【００３４】
また、入力映像信号に既存の映像種別信号を利用することで、装置の簡素化が可能となるとともに各回路において必要な映像信号の振幅を容易に、かつ高精度で調整することが可能となる。
【図面の簡単な説明】
【図１】実施の形態１における映像信号振幅調整装置を示す信号ブロック図である。
【図２】垂直ブランキング期間における基準パルスの付加位置の一例を示す図である。
【図３】実施の形態１の映像信号振幅調整装置における信号波形を示す図である。
【図４】垂直ブランキング期間における映像種別信号の位置を示すである。
【図５】映像種別信号の波形を示す図である。
【図６】実施の形態２における映像信号振幅調整装置を示す信号ブロック図である。
【符号の説明】
１  入力信号端子、２  基準パルス付加手段、３  第１の振幅調整手段、  ４第１の回路部、５  第（ｎ−１）の振幅調整手段、６  第（ｎ−１）の回路部、７  第ｎの振幅調整手段、８  第ｎの回路部、９  出力信号端子、１０  基準パルス発生手段、１１  第１のゲイン出力手段、１２  第（ｎ−１）のゲイン出力手段、１３  第ｎのゲイン出力手段。
【図１】
2004289665.tif 000004
【図２】
2004289665.tif 000005
【図３】
2004289665.tif 000006
【図４】
2004289665.tif 000007
【図５】
2004289665.tif 000008
【図６】
2004289665.tif 000009